(57)【要約】【課題】簡単に頭髪を押さえることができ、濡れた頭髪の水分を効果的に吸収させることができる頭髪用吸水体を提供する。【解決手段】頭から被り濡れた頭髪の水分を吸収する頭髪用吸水体において、被り口が一端Ｄに設けられ、該被り口から頭部に被った状態では頭髪の長さ方向に延在し、該頭髪を包み込んで該頭髪の水分を吸収する繊維材料によって内周面が形成された筒体１１と、前記筒体１１の軸心周りを周回するように螺旋状に配置され、該筒体１１の内径を拡げる方向および該筒体の長さを伸ばす方向に作用する力に抗する付勢力を付与する弾性体１２とを備えたことを特徴とする。【選択図】        図１
2011251111.tif 000002
【特許請求の範囲】
【請求項１】
頭から被り濡れた頭髪の水分を吸収する頭髪用吸水体において、
被り口が一端に設けられ、該被り口から頭部に被った状態では頭髪の長さ方向に延在し、該頭髪を包み込んで該頭髪の水分を吸収する繊維材料によって内周面が形成された筒体と、
前記筒体の軸心周りを周回するように螺旋状に配置され、該筒体の内径を拡げる方向および該筒体の長さを伸ばす方向に作用する力に抗する付勢力を付与する弾性体とを備えたことを特徴とする頭髪用吸水体。
【請求項２】
前記弾性体は、前記筒体の、前記被り口を画定する一端側の縁から、該筒体の軸心周りを周回するように螺旋状に配置されたものであることを特徴とする請求項１記載の頭髪用吸水体。
【請求項３】
前記被り口側になる前記筒体の一端側に設けられ、該筒体を前記長さ方向に交わる折返線で折り返して該一端側に、該筒体の、該一端側とは反対の他端側を固定する固定具を備えたことを特徴とする請求項１又は２記載の頭髪用吸水体。
【請求項４】
前記固定具は、前記筒体の一端側で周方向に所定角度離れた位置に設けられたものであることを特徴とする請求項３記載の頭髪用吸水体。
【請求項５】
前記固定具は、前記筒体の一端側で前記長さ方向に間隔を開けて複数設けられたものであることを特徴とする請求項３又は４記載の頭髪用吸水体。
【請求項６】
前記固定具は、前記筒体の一端側で該筒体の周方向に沿って延び、該筒体の他端側を該一端側との間に挟んで該一端側に該他端側を固定するバンド部材であることを特徴とする請求項３記載の頭髪用吸水体。
【請求項７】
前記筒体は、前記被り口側になる該筒体一端側とは反対の他端側に、重りを有するものであることを特徴とする請求項１、２、６のうちのいずれか１項記載の頭髪用吸水体。
【請求項８】
前記筒体は、前記被り口側になる該筒体一端側とは反対の他端側に、該被り口よりも小さな開口を有するものであることを特徴とする請求項１から７のいずれか１項記載の頭髪用吸水体。
【発明の詳細な説明】
【技術分野】
【０００１】
頭から被り濡れた頭髪の水分を吸収する吸水体に関する。
【背景技術】
【０００２】
現在、洗髪等によって濡れた頭髪の水分を吸収させるために、様々な吸水体が提案されている（例えば特許文献１）。この特許文献１には、濡れた頭髪の水分を吸収する筒状のタオル地からなる頭髪用吸水体が提案されている。
【先行技術文献】
【特許文献】
【０００３】
【特許文献１】特表２００５−３２０６５０号公報
【発明の概要】
【発明が解決しようとする課題】
【０００４】
上記特許文献１に開示された頭髪用吸水体は、頭部に被るだけで簡単に使用することができる。しかし、頭髪を包み込んだタオル地に頭髪がしっかりと密着せず、濡れた頭髪の水分を効果的に吸収できるものではない。
【０００５】
上記課題に鑑み本発明は、簡単に頭髪を押さえることができ、濡れた頭髪の水分を効果的に吸収させることができる頭髪用吸水体を提供することを目的とする。
【課題を解決するための手段】
【０００６】
上記課題を解決するために、本発明の頭髪用吸水体は、
頭から被り濡れた頭髪の水分を吸収する頭髪用吸水体であって、
被り口が一端に設けられ、その被り口から頭部に被った状態では頭髪の長さ方向に延在し、その頭髪を包み込んでその頭髪の水分を吸収する繊維材料によって内周面が形成された筒体と、
上記筒体の軸心周りを周回するように螺旋状に配置され、その筒体の内径を拡げる方向およびその筒体の長さを伸ばす方向に作用する力に抗する付勢力を付与する弾性体とを備えたことを特徴とする。
【０００７】
この頭髪用吸水体によれば、頭髪用吸水体を伸ばしたり拡げたりできるため容易に頭部に被ることができ、被った後は頭部の形に合わせて頭髪を包み、水分を効果的に吸収させることができる。この際、螺旋状の弾性体が変形時にかかる力を分散させるため、頭髪を均等に押さえることができる。
【０００８】
なお、弾性体は、筒体の外周面を周回するものであってもよいし、外周面と内周面の間を周回するものであってもよい。また、被り口とは反対側の端は、開口していても閉じていてもどちらでもよい。
【０００９】
ここで、上記頭髪用吸水体は、
上記弾性体が、上記筒体の、上記被り口を画定する一端側の縁から、その筒体の軸心周りを周回するように螺旋状に配置されたものであってもよい。
【００１０】
この頭髪用吸水体によれば、螺旋状の弾性体によって変形時にかかる力を頭髪用吸水体全体に分散させ、頭髪を均等に押さえることができる。
【００１１】
また、上記頭髪用吸水体は、
上記被り口側になる上記筒体の一端側に設けられ、その筒体を上記長さ方向に交わる折返線で折り返してその一端側に、その筒体の、その一端側とは反対の他端側を固定する固定具を備えたものであってもよい。
【００１２】
この頭髪用吸水体によれば、上記他端側を固定することができるため、この他端側の内部に包まれた頭髪を押さえて吸水させることができる。
【００１３】
さらに、上記頭髪用吸水体は、
上記固定具が、上記筒体の一端側で周方向に所定角度離れた位置に設けられたものであってもよい。
【００１４】
この頭髪用吸水体によれば、上記固定具の間にある頭髪をしっかりと押さえて吸水させることができる。
【００１５】
加えて、上記頭髪用吸水体は、
上記固定具が、上記筒体の一端側で上記長さ方向に間隔を開けて複数設けられたものであってもよい。
【００１６】
この頭髪用吸水体によれば、上記固定具を選択することにより頭髪を押さえる力を調節することができる。
【００１７】
さらに加えて、上記頭髪用吸水体は、
上記固定具が、上記筒体の一端側でその筒体の周方向に沿って延び、その筒体の他端側をその一端側との間に挟んでその一端側にその他端側を固定するバンド部材であってもよい。
【００１８】
この頭髪用吸水体によれば、上記他端側をバンド部材で挟むだけで、容易に頭髪を押さえることができる。
【００１９】
また、上記頭髪用吸水体は、
上記筒体が、上記被り口側になるその筒体一端側とは反対の他端側に、重りを有するものであってもよい。
【００２０】
この頭髪用吸水体によれば、上記重りにかかる力を利用して頭髪を押さえることができる。
【００２１】
さらに、上記頭髪用吸水体は、
上記筒体が、上記被り口側になるその筒体一端側とは反対の他端側に、その被り口よりも小さな開口を有するものであってもよい。
【００２２】
この頭髪用吸水体によれば、頭部の形状によりフィットさせることができ、より均等に頭髪を押さえることができる。
【発明の効果】
【００２３】
本発明によれば、簡単に頭髪を包み込むことができ、濡れた頭髪の水分を効果的に吸収させることができる頭髪用吸水体を提供することができる。
【図面の簡単な説明】
【００２４】
【図１】本発明の一実施形態に係る頭髪用吸水体を正面から見た図である。
【図２】図１に示す頭髪用吸水体１に設けられたゴム１２の形状を示す図である。
【図３】図１に示す頭髪用吸水体１の使用例を示す図である。
【図４】頭髪用吸水体の１つ目の変形例を示す図である。
【図５】頭髪用吸水体の１つ目の変形例の使用した様子を示す図である。
【図６】頭髪用吸水体の２つ目の変形例を示す図である。
【図７】頭髪用吸水体の２つ目の変形例の使用した様子を示す図である。
【図８】頭髪用吸水体の３つ目の変形例を示す図である。
【図９】頭髪用吸水体の３つ目の変形例の使用した様子を示す図である。
【図１０】頭髪用吸水体の４つ目の変形例を示す図である。
【図１１】頭髪用吸水体の４つ目の変形例の使用した様子を示す図である。
【発明を実施するための形態】
【００２５】
以下、図面を用いて本発明の頭髪用吸水体について説明する。
【００２６】
図１は、本発明の一実施形態に係る頭髪用吸水体を正面から見た図である。
【００２７】
この頭髪用吸水体１は、筒状に形成されたタオル地１１（本発明の筒体の一例に相当）と、このタオル地１１の内部に縫い込まれたゴム１２（本発明の弾性体の一例に相当）を有する。この頭髪用吸水体１は、タオル地１１によって形成された筒の一方の口を開いて濡れた頭部に被り、頭髪の水分を吸収させるためのものである。さらに、頭髪が長い場合には、頭髪をその筒内に通して水分を吸収させるものである。
【００２８】
このタオル地１１は、吸水性に優れた繊維が用いられている。より具体的には、タオル地１１は、異形断面を有する合成繊維（ポリエステル８０％、ナイロン２０％）製のものであり、沈降法（ＪＩＳ  Ｌ  １９０７−２００４  ５．１．３）で２秒の吸水性を示すものである。タオル地１１全体では、１秒以内に１１３〜１３１ｍｍｌの水分を吸収することができる。なお、異形断面とは、円でない断面のことをいい、例えば十字形状の断面等がこれに該当する。この異形断面を有する形状によって毛細管現象が発現するため、水分をすばやく吸収できるという特徴（以下、吸水性と称することがある）がある。なお、タオル地１１は、吸水性を有するものであれば他の素材を用いてもよい。
【００２９】
筒状のタオル地１１は、両端の口の大きさが、人の頭部が通る程度の大きさになっており、タオル地１１を頭部から首まで通すことができる。また、より頭部に密着するように、一方の口からもう一方の口に向かってタオル地１１の内部の空間が狭くなるように形成されている。なお、また、タオル地１１の軸方向の長さは、肩まで届くくらいの頭髪を収めることができる長さ（ここでは４０ｃｍ）になっている。なお、この長さを、より長く（例えば５５ｃｍ）したものであってもよい。以降の説明において、大きいほうの口を被り口と称し、この被り口がある方の端を下端Ｄ、反対側の端を上端Ｕと称する。
【００３０】
図２は、図１に示す頭髪用吸水体１に設けられたゴム１２の形状を示す図である。
【００３１】
図２（ａ）には、ゴム１２が螺旋状の形状になっている様子が示されている。また、図２（ｂ）には、頭髪用吸水体１を軸方向から見た場合にゴム１２が渦巻状に配置されている様子が示されている。
【００３２】
図２に示すゴム１２は一本のゴムであり、このゴム１２がタオル地１１の下端Ｄから上端Ｕまで螺旋状に縫い込まれている。このゴム１２によって頭髪用吸水体１は、使用されていない状態（張力の無い状態）では内径が頭部よりも小さく、軸方向の長さはタオル地１１の長さよりも短くなっている。この頭髪用吸水体１を頭部に被ると、頭髪用吸水体１の内径が拡げられてゴム１２が適度に伸び、頭部にフィットさせることができる。さらに 
、頭髪用吸水体１の内部に通した頭髪が長い場合には、頭髪用吸水体１を軸方向に引っ張ることによって頭髪の長さに合わせることができる。ゴム１２は一本の螺旋状であるため、軸方向に引っ張っられる力を全体に分散させ、均等な力で頭髪を押さえることができる。さらに、１本の弾性体であるゴム１２は、タオル地１１を回転させながら一度に縫い合わせることが可能である。すなわち、複数の弾性体を一つ一つ取り付ける場合と比べて作業が容易であり、コストを抑えることができる。なお、ゴム１２の太さ等については特に制限はなく、タオル地１１のサイズや頭部のサイズ、頭髪の質に合わせたものを選択することができる。また、ゴム以外の弾性体を用いてもよい。
【００３３】
以上が、本発明における頭髪用吸水体の基本的な構成である。なお、上端Ｕ側が開口していないものであってもよく、例えば上端Ｕ側の口を縫い合わせて閉じたものであってもよい。
【００３４】
ここで、図１に示す頭髪用吸水体１の使用方法について説明する。
【００３５】
頭髪用吸水体１の使用手順は次のとおりである。まず、被り口を拡げて頭部に被った後、下端Ｄ側へ引っ張って頭髪用吸水体１を首まで通す。頭髪が長い場合には、首まで通した頭髪用吸水体１の外側に頭髪を出しておく。その後、上端Ｕ側を引っ張ることによって頭髪を生え際から引き上げ、頭髪が頭髪用吸水体１の内部に収めながら頭部に被った状態にする。この手順によって頭髪を無理に曲げることなく頭髪用吸水体１の内側に収めることができ、頭髪に癖をつけないようにすることができる。この際、頭髪の先端側の一部が上端Ｕ側からはみ出てしまう場合があるが、上端Ｕの口によって頭髪がまとめられるため、頭髪が擦れて傷むことを防ぐことができる。すなわち、この頭髪用吸水体１によれば、簡単に頭髪を包み込んで、濡れた頭髪の水分を素早く吸収させることができる。なお、頭髪用吸水体１上端Ｕが開口していない場合は、頭髪用吸水体１を頭部に被って下端Ｄ側へ引っ張り、その後上端Ｕ側を引き上げることで、頭髪を先端まで全て内部に収めることができる。
【００３６】
図３は、頭髪用吸水体１の使用例を示す図である。
【００３７】
図３（ａ）には、上記説明した使用手順に従って、図１に示す頭髪用吸水体１を使用している状態を横から見た様子が示されている。また、図３（ｂ）には、（ａ）の状態を背面から見た様子が示されている。
【００３８】
頭髪が濡れると水分を吸収し、擦れたときに傷みやすい状態になる。この状態で頭髪を自然に乾燥させたりタオルで濡れた頭髪を擦ったりすると、頭髪が傷んでしまう。ドライヤーを使用すればこのような問題を回避できるが、例えば子育てで忙しい場合等、ドライヤーを使用することができない場合がある。また、ドライヤーを使用すること自体を面倒に感じる者もいる。
【００３９】
本実施形態の頭髪用吸水体１によれば、忙しい場合であっても簡単に装着でき、頭髪を擦って傷めることなく水分を吸収させることができる。ドライヤーを使用したい場合には、十分な時間がとれる状態になるまで、または頭髪が適度に乾くまでこの頭髪用吸水体１を装着しておく、といった使用方法をとることができる。
【００４０】
図３に示す使用状態では、頭髪用吸水体１は主にゴム１２の弾性力によって頭髪を押さえており、これによって頭髪の水分を吸収している。しかし、人によってはさらに水分を吸収させたいと望む者もいる。水分を吸収させるためには、タオル地１１で頭髪を押さえる力を加えることが考えられる。以下、タオル地１１で頭髪をより押さえることができるように、図１の基本構成に別途構成を加えた変形例について説明する。なお、以降の説明 
において、図１の基本構成と同じものについては、同一の符号を付して説明を省略する。
【００４１】
図４は、頭髪用吸水体１の１つ目の変形例を示す図である。
【００４２】
図４（ａ）には、１つ目の変形例を前面から見た様子が示されており、基本構成に２つのボタン２１が追加されている様子が示されている。また、図４（ｂ）には、１つ目の変形例を背面から見た様子が示されており、基本構成に２つの輪２２が追加されている様子が示されている。輪２２は、上端Ｕを下端Ｄに向かって折り曲げた際に、ボタン２１に引っ掛けるためのものである。これらのボタン２１および輪２２は、本発明の固定具の一例に相当するものである。
【００４３】
図５は、図４に示す頭髪用吸水体１の１つ目の変形例を使用した様子を示す図である。
【００４４】
図５（ａ）には、１つ目の変形例を使用している状態を横から見た様子が示されている。この図において、頭髪用吸水体１の上端Ｕは下端Ｄに向けて前方に引っ張られ（図中の矢印参照）、輪２２をボタン２１に引っ掛けることによってこの張力が維持されている。この状態では、タオル地１１により頭髪が押さえられるため、ボタン２１と輪２２がない場合と比べて効果的に吸水させることができる。
【００４５】
図５（ｂ）および図５（ｃ）には、１つ目の変形例を使用している状態を正面からみた様子が示されている。これらの図では、輪２２を引っ掛けるボタン２１が異なっている。ボタン２１および輪２２は２つあるため、図５（ｂ）および（ｃ）のように、これらの組み合わせを変更することで、張力のかかり具合を調整することができる。人によって頭の大きさ、頭髪の質、および頭髪の量が異なるため、このように張力のかかり具合を調整できるものであることが好ましい。なお、ボタン２１および輪２２の数は２つに限定されるものではなく、例えばボタン２１だけを３つ配置したものであってもよい。また、ボタン２１をブローチのように装飾し、デザイン性を向上させることもできる。
【００４６】
図６は、頭髪用吸水体１の２つ目の変形例を示す図である。
【００４７】
図６（ａ）には、２つ目の変形例を右側面から見た様子が示されており、基本構成にボタン３１と輪３２が追加されている様子が示されている。また、図６（ｂ）には、２つ目の変形例を（ａ）とは反対側の左側面から見た様子が示されており、（ａ）と同様、基本構成にボタン３１と輪３２が追加されている様子が示されている。各側面にあるボタン３１は、同じ側面にある輪３２と組み合わせて使用されるものであり、上端Ｕを下端Ｄに向かって折り曲げた状態を固定するためのものである。なお、これらのボタン３１および輪３２は、本発明の固定具の一例に相当するものである。以下、この２つ目の変形例の使用例について説明する。
【００４８】
図７は、図６に示す頭髪用吸水体１の２つ目の変形例を使用した様子を示す図である。
【００４９】
図７（ａ）には、２つ目の変形例を使用している状態を横から見た様子が示されている。この図において、頭髪用吸水体１の上端Ｕは下端Ｄに向かって引っ張られ（図中の矢印参照）、側面にある輪３２を同じ側面にあるボタン３１に引っ掛けることによってこの張力が維持されている。この張力によって、タオル地１１が頭髪を押さえることになり、ボタン３１と輪３２がない場合と比べて効果的に吸水させることができる。
【００５０】
図７（ｂ）には、２つ目の変形例を使用している状態を背面からみた様子が示されている。この図では、左右の各側面においてボタン３１に輪３２を引っ掛けることによって、頭髪用吸水体１が左右に引っ張られている様子が示されている（図中の矢印参照）。この 
張力によって、頭髪用吸水体１の内部に通された頭髪を押さえる力が生じ、頭髪の水分を吸収させることができる。なお、図４に示す１つ目の変形例のように、ボタン３１または輪３２を複数設け、これらを組み合わせて張力のかかり具合を調整することができるようにしてもよい。また、ボタン３１をブローチのように装飾し、デザイン性を向上させてもよい。すなわち、装飾体を設けてもよい。
【００５１】
図８は、頭髪用吸水体１の３つ目の変形例を示す図である。
【００５２】
図８（ａ）には、３つ目の変形例を正面から見た様子が示されており、図８（ｂ）には、３つ目の変形例を背面から見た様子が示されている。この図には、基本構成に重り４１が追加されている様子が示されている。この重り４１は上端Ｕの縁を周回するように設けられており、上端Ｕを下端Ｄに向かって折り曲げたときにその重さによって上端Ｕに張力がかかるようにしたものである。なお、この重り４１は、本発明の重りの一例に相当するものである。以下、この３つ目の変形例の使用例について説明する。
【００５３】
図９は、頭髪用吸水体１の３つ目の変形例を使用した様子を示す図である。なお、ここで示す３つ目の変形例では、上端Ｕの縁を周回する重り４１ではなく、上端Ｕに結び付けられた星型の重り４２（本発明の重りの一例に相当）を用いた変形例について説明する。
【００５４】
図９（ａ）には、３つ目の変形例を使用している状態を横から見た様子が示されており、図９（ｂ）には、（ａ）に示す状態を後ろから見た様子が示されている。この図において、頭髪用吸水体１の上端Ｕは、星型の重り４２の重さによって下端Ｄに向かって引っ張られている（図中の矢印参照）。この張力によって、タオル地１１が頭髪を押さえる力が生じるため、重り４２がない場合と比べて効果的に吸水させることができる。さらに、この３つ目の変形例は、重り４２がない場合と同じ手間で装着することができる。なお、星型の重り４２を複数用意しておき、頭髪の質や頭髪の量などに合わせて付け替えることができるようにしてもよい。また、星型以外にも様々な形状の重りを付け替えられるようにし、デザイン性を向上させてもよい。
【００５５】
図１０は、頭髪用吸水体１の４つ目の変形例を示す図である。
【００５６】
図１０（ａ）には、４つ目の変形例を正面から見た様子が示されており、図１０（ｂ）には、４つ目の変形例を右側面から見た様子が示されている。この図には、基本構成にバンド５１が追加されている様子が示されている。このバンド５１は両端部が下端Ｄの側面で固定され、頭に被った際に前後に移動できるようになっている。このバンド５１とタオル地１１の外周面との隙間に上端Ｕを挟み込むと、頭髪を押さえる力を生じさせることができる。なお、このバンド５１は、本発明のバンド部材の一例に相当するものである。以下、この４つ目の変形例の使用例について説明する。
【００５７】
図１１は、頭髪用吸水体１の４つ目の変形例を使用した様子を示す図である。図１１（ａ）には、４つ目の変形例を使用している状態を横から見た様子が示されており、図１１（ｂ）には、（ａ）に示す状態を正面から見た様子が示されている。この図において、頭髪用吸水体１の上端Ｕは、バンド５１によってタオル地１１の外周面との隙間に挟み込まれている。この挟み込む力によって、頭髪用吸水体１が頭髪を押さえる力が生じるため、バンド５１を使用しない場合と比べて効果的に吸水させることができる。なお、挟み込みを解除するときには、バンド５１を前後に移動させるだけでよい。
【００５８】
このバンド５１はゴム製でありその弾性力によって挟み込むことができるようになっている。これ以外にも例えば、より弾性力の強いゴムや、特に弾性のない生地をバンド５１として用いてもよく、これらを使用者に応じて付け替えられるようにしてもよい。また、 
バンド５１を、例えばリボンの形状にするといったように装飾することで、デザイン性にも優れた頭髪用吸水体１を提供することができる。このバンド５１は、３つ目の変形例と組み合わせて使用することも可能である。すなわち、重りで張力が生じた状態をバンド５１で固定することができる。なお、バンド５１は前後に移動しないものであってもよい。
【００５９】
上記変形例の使用例はあくまで一例であり、使用者の髪型等に合わせて頭髪用吸水体１を被る向き調整し、その向きに合わせて固定する位置を適宜変更してもよい。
【符号の説明】
【００６０】
１  頭髪用吸水体
１１  タオル地
１２  ゴム
２１  ボタン
２２  輪
３１  ボタン
３２  輪
４１，４２  重り
５１  バンド
Ｕ  上端
Ｄ  下端
【図１】
2011251111.tif 000003
【図２】
2011251111.tif 000004
【図３】
2011251111.tif 000005
【図４】
2011251111.tif 000006
【図５】
2011251111.tif 000007
【図６】
2011251111.tif 000008
【図７】
2011251111.tif 000009
【図８】
2011251111.tif 000010
【図９】
2011251111.tif 000011
【図１０】
2011251111.tif 000012
【図１１】
2011251111.tif 000013
【手続補正書】
【提出日】平成23年3月2日(2011.3.2)
【手続補正１】
【補正対象書類名】特許請求の範囲
【補正対象項目名】請求項７
【補正方法】変更
【補正の内容】
【請求項７】
前記筒体は、前記被り口側になる該筒体一端側とは反対の他端側に、重りを有するものであることを特徴とする請求項１又は２記載の頭髪用吸水体。